(57)【要約】      （修正有）【課題】構造や設計が合理的で、便利に操作できる遠心脱水モップを提供する。【解決手段】回転モップハンドル１０、掃除部３、カバー５、固定スリーブ４を含む。回転モップハンドルは上管１、下管２、回転駆動装置を含み、回転駆動装置は上管と下管とを可動的に接続し、上管及び下管は軸方向において上下に相対的に移動することも、相対的回転することもできる。掃除部は下管に接続されている。カバーは下管に貫通されるように設けられ、且つカバーは下管に沿って上下に移動できる。固定スリーブと上管は固定接続されている。さらに回転モップハンドルをロックするためのロック機構を含み、カバーと固定スリーブが係合機構によって係合される際、回転モップハンドルがロックされる。モップかけ状態と脱水状態を切り替える際、駆動装置によってスナップフィット機構の係合または離脱を制御する。【選択図】図１
2019080905.tif 000002
【特許請求の範囲】
【請求項１】
遠心脱水モップであって、回転モップハンドル、掃除部、カバー、固定スリーブを含むものであり；
前記回転モップハンドルは上管、下管、回転駆動装置を含み、回転駆動装置は上管と下管とを可動的に接続し、上管及び下管は軸方向において上下に相対的に移動することも、相対的回転することもできる；
掃除部は下管に接続されている；
カバーは下管に貫通されるように設けられ、且つカバーは下管に沿って上下に移動でき；
固定スリーブと上管は固定接続されている；
該遠心脱水モップは、さらに回転モップハンドルをロックするためのロック機構を含み、
前記ロック機構は下管とカバーを円周方向上で位置制限する第一ストッパー機構、上管とカバーを円周方向上で位置制限する第二ストッパー機構、固定スリーブとカバーの間に設けられる係合機構を含み、
カバーと固定スリーブが係合機構によって係合される際、前記回転モップハンドルがロックされることを特徴とする、前記遠心脱水モップ。
【請求項２】
前記第一ストッパー機構は歯スリーブ、カバーに設けられた内歯を含み、
前記歯スリーブと下管が固定的に装着され、カバーと固定スリーブが係合機構によって係合される際、前記内歯と歯スリーブとが噛み合うことを特徴とする、請求項１に記載の遠心脱水モップ。
【請求項３】
前記第二ストッパー機構は固定スリーブに設けられたスロット 、カバーに設けられた外歯を含み、
カバーと固定スリーブとが係合機構によって係合される際、前記外歯とスロットとが噛み合うことを特徴とする、請求項１に記載の遠心脱水モップ。
【請求項４】
前記第一ストッパー機構は歯スリーブ、カバーに設けられた内歯を含み、前記歯スリーブと下管が固定的に装着され、
前記第二ストッパー機構は固定スリーブに設けられたスロット 、カバーに設けられた外歯を含み、
カバーと固定スリーブとが係合機構によって係合される際、前記外歯とスロットとが噛み合うことを特徴とする、請求項１に記載の遠心脱水モップ。
【請求項５】
前記係合機構は固定スリーブの内壁に設けられた凹部及びカバーに設けられたフック部材を含むことを特徴とする、請求項１〜４のいずれか一項に記載の遠心脱水モップ。
【請求項６】
前記凹部の位置は固定スリーブの下方に設けられ、前記フック部材は外歯の下方に設けられていることを特徴とする、請求項５に記載の遠心脱水モップ。
【請求項７】
前記内歯の端部は次第に細くなることを特徴とする請求項２に記載の遠心脱水モップ。
【請求項８】
前記外歯の端部は次第に細くなることを特徴とする請求項３に記載の遠心脱水モップ。
【請求項９】
さらに掃除部を接続する掃除部接続体を含み、前記カバーと掃除部接続体の間には、カバーと掃除部連結体を係合または分離させるスナップフィット機構を含み、前記スナップフィット機構はスライドスリーブ、フック及び駆動機構を含み、前記駆動機構はスライドスリーブを回転モップハンドルの軸方向に沿ってスライドするように駆動するものであり、
前記カバーの側壁にはフックを装着するための装着部があり、前記装着部は透孔と吊り棒を含む；
前記フックの片端は吊り棒に対応するランスが設けられ、フックのもう片端はフック部であり、フック部はフック根元部、フック先部を含み、ランスの所在する位置から鉛直線を引いた場合、前記フック根元部とフック先部はそれぞれ該鉛直線の両側に位置する；回転モップハンドルは前記スライドスリーブの両端の開口を挿通するように設けられ、フックが装着されるとき、前記ランスと吊り棒が上下に重なり、スライドスリーブがフック根元部に当接する際、前記フックは透孔を貫通し前記フックは掃除部接続体を引っ掛けるようにし、スライドスリーブが吊り棒の所在位置にまで移動した際、前記フックと掃除部接続体は分離することを特徴とする、請求項１に記載の遠心脱水モップ。
【請求項１０】
さらにフックに位置制限を加えるためのリブを備え、前記フックは二つのリブの間に設けられていることを特徴とする、請求項９に記載の遠心脱水モップ。
【請求項１１】
前記フック先部には斜辺が設けられていることを特徴とする、請求項９に記載の遠心脱水モップ。
【請求項１２】
駆動機構はボタン、バネ、押しバネ、スライドスリーブの側壁に設けられた斜面を含み、
前記バネは回転モップハンドルの外に嵌められ、前記押しバネはスライドスリーブに付勢を行い、スライドスリーブがフック根元部に当接するように付勢している；
前記ボタンには受力面があり、前記受力面はスライドスリーブに当接してスライドスリーブがフック根元部から遠ざかるようにさせるものであり、前記押しバネはボタンに付勢し、ボタンを復位させることを特徴とする、請求項９に記載の遠心脱水モップ。
【請求項１３】
前記掃除部は台座、側板、モップを含み、前記台座は側板と回転可能に接続され、モップの両端は側板と固定接続されることを特徴とする、請求項１または９に記載の遠心脱水モップ。
【請求項１４】
前記掃除部は可撓性板、モップを含み、前記モップと可撓性板が固定接続されていることを特徴とする、請求項１または９に記載の遠心脱水モップ。
【発明の詳細な説明】
【技術分野】
【０００１】
本発明は遠心脱水モップに係り、掃除道具の技術分野に属するものである。
【背景技術】
【０００２】
引用文献１において以下が開示されている。遠心脱水できる回転モップであって、モップハンドル機構を含み、前記モップハンドル機構は一つの上管と一つの下管を備え、上管と下管のロックはロック部材を用い、前記ロック部材は第一の端部には前記当接部が形成され、前記ロック部材の第二の端部には開放部が形成されている。操作する際に、片手でモップハンドルを握り、もう一つの手でロック部材（トリガー）を操作することでロックまたはアンロック（開放）を実現し、前記操作は使用者にとって操作しづらく、操作が煩雑である。
【０００３】
また、引用文献２において以下が開示されている。遠心脱水できる回転式モップであって、脱水機構を含み、脱水機構は下管に貫通されるように設けられ、且つ下管に沿って上下に移動できる；前記の脱水機構はロッキングカバーと、遮水カバーと、出水カバーとを含む；出水カバーは下管に貫通されるように設けられ、ロッキングカバーは出水カバーに貫通されるように設けられ、出水カバー及びロッキングカバー上にロック機構が設けられ、ロック機構は下管とマッチしている。モップヘッド機構に対して脱水を行う必要があるときは、脱水機構を下へ押し、ロッキングカバーに設けられた通し溝によってロッキングカバーの上端に弾性変形が生じ、凹溝はスリーブ下端のリブから脱離し、脱水機構は下管に沿って下へスライドさせ、ヘッド部全体が出水カバーのキャビティ内に入るようになるまでスライドさせる。モップのヘッド部を脱水させた後、脱水機構を上に引き上げ、ロッキングカバー中の凹溝とスリーブ下端の周囲のリブを係合させ、脱水機構をスリーブの下部にぶら下げるようにし、この時にモップは使用可能状態となる。該技術構成におけるロック機構は摩擦力によってロッキングカバー上端に弾性変形を生じさせ、これによりカバー中の凹溝はスライドしまたはリブ部に係合し、操作に非常に力を必要とし、且つ長期にわたって使用した後ロック機構が摩耗し、後の使用に不便をもたらしてしまう。
【先行技術文献】
【特許文献】
【０００４】
【特許文献１】国際公開公報ＷＯ２０１５／０１０５７７Ａ１号明細書
【特許文献２】中国特許公開公報ＣＮ１０３４１７１６８Ａ号明細書
【発明の概要】
【発明が解決しようとする課題】
【０００５】
本発明が解決しようとする技術課題は、従来技術における不足を克服して、構造や設計が合理的で、便利に操作できる遠心脱水モップを提供することである。本明細書における「遠心脱水モップ」とは、遠心力によって脱水を行うことができるモップである。
【課題を解決するための手段】
【０００６】
前記技術課題を解決するため、本発明の技術構成は以下である：遠心脱水モップであって、回転モップハンドル、掃除部、カバー、固定スリーブを含む；前記回転モップハンドルは上管、下管、回転駆動装置を含み、回転駆動装置は上管と下管とを可動的に接続し、上管及び下管は軸方向において上下に相対的に移動することも、相対的回転することもできる；掃除部は下管に接続されている；カバーは下管に貫通されるように設けられ、且つカバーは下管に沿って上下に移動できる；固定スリーブと上管は固定接続されている；該遠心脱水モップは、さらに回転モップハンドルをロックするためのロック機構を含み、前記ロック機構は下管とカバーを円周方向上で位置制限する第一ストッパー機構、上管とカバーを円周方向上で位置制限する第二ストッパー機構、固定スリーブとカバーの間に設けられる係合機構を含み、カバーと固定スリーブが係合機構によって係合される際、前記回転モップハンドルがロックされる。
【０００７】
さらに言えば、前記第一ストッパー機構は歯スリーブ、カバーに設けられた内歯を含み、前記歯スリーブと下管が固定的に装着され、カバーと固定スリーブが係合機構によって係合される際、前記内歯と歯スリーブとが噛み合う。
【０００８】
さらに言えば、前記第二ストッパー機構は固定スリーブに設けられたスロット 、カバーに設けられた外歯を含み、カバーと固定スリーブとが係合機構によって係合される際、前記外歯とスロットとが噛み合う。
【０００９】
さらに言えば、前記第一ストッパー機構は歯スリーブ、カバーに設けられた内歯を含み、前記歯スリーブと下管が固定的に装着され、前記第二ストッパー機構は固定スリーブに設けられたスロット 、カバーに設けられた外歯を含み、カバーと固定スリーブとが係合機構によって係合される際、前記外歯とスロットとが噛み合う。
【００１０】
さらに言えば、前記係合機構は固定スリーブの内壁に設けられた凹部及びカバーに設けられたフック部材を含む。
【００１１】
さらに言えば、前記凹部の位置は固定スリーブの下方に設けられ、前記フック部材は外歯の下方に設けられている。
【００１２】
さらに言えば、前記内歯の端部は次第に細くなる。
【００１３】
さらに言えば、前記外歯の端部は次第に細くなる。
【００１４】
さらに言えば、さらに掃除部を接続する掃除部接続体を含み、前記カバーと掃除部接続体の間には、カバーと掃除部連結体を係合または分離させるスナップフィット機構を備え、前記スナップフィット機構はスライドスリーブ、フック及び駆動機構を含み、前記駆動機構はスライドスリーブを回転モップハンドルの軸方向に沿ってスライドするように駆動するものであり、前記カバーの側壁にはフックを装着するための装着部があり、前記装着部は透孔と吊り棒を含む；前記フックの片端は吊り棒に対応するランスが設けられ、フックのもう片端はフック部であり、フック部はフック根元部、フック先部を含み、ランスの所在する位置から鉛直線を引いた場合、前記フック根元部とフック先部はそれぞれ該鉛直線の両側に位置する；回転モップハンドルは前記スライドスリーブの両端の開口を挿通するように設けられ、フックが装着されるとき、前記ランスと吊り棒が上下に重なり、スライドスリーブがフック根元部に当接する際、前記フックは透孔を貫通し前記フックは掃除部接続体を引っ掛けるようにし、スライドスリーブが吊り棒の所在位置にまで移動した際、前記フックと掃除部接続体は分離する。
【００１５】
さらに言えば、さらにフックに位置制限を加えるためのリブを備え、前記フックは二つのリブの間に設けられている。
【００１６】
さらに言えば、前記フック先部には斜辺が設けられている。
【００１７】
さらに言えば、駆動機構はボタン、バネ、押しバネ、スライドスリーブの側壁に設けられた斜面を含み、前記バネは回転モップハンドルの外に嵌められ、前記押しバネはスライドスリーブに付勢を行い、スライドスリーブがフック根元部に当接するように付勢している；前記ボタンには受力面があり、前記受力面はスライドスリーブに当接してスライドスリーブがフック根元部から遠ざかるようにさせるものであり、前記押しバネはボタンに付勢し、ボタンを復位させる。
【００１８】
さらに言えば、前記掃除部は台座、側板、モップを含み、前記台座は側板と回転可能に接続され、モップの両端は側板と固定接続される。
【００１９】
さらに言えば、前記掃除部は可撓性板、モップを含み、前記モップと可撓性板が固定接続されている。
【００２０】
さらに言えば、掃除部は通常の方式を用いることができ、モップ板、モップを含み、モップ自身の性質によって変形が生じる。
【発明の効果】
【００２１】
本発明と従来技術を比較した場合、以下のメリットと効果を有する：本発明は従来技術構成におけるトリガーを操作することで回転モップハンドルをロックする技術構成を破棄し、カバーを上に移動させて、自己洗浄状態からモップかけ状態に切り替える際、同時に回転モップハンドルをロックさせ、一つの動作で二つの目的を達成することができる。また、モップかけ状態と脱水状態を切り替えさせる際、駆動機構によってスナップフィット機構の係合または開放を制御することで、楽々実現することができ、従来技術における摩擦によって実現するという力を必要とする方式の変替となり、部品の摩耗を顕著に低減させた。
【図面の簡単な説明】
【００２２】
【図１】図１は本発明の実施例の構造模式図である。
【図２】図２は図１に示すＢ−Ｂ方向断面構造の模式図である。
【図３】図３は本発明の前記ロック機構の分解状態の構造模式図である。
【図４】図４は図１の断面図である。
【図５】図５は図４におけるＡの拡大模式図である。
【図６】図６は本発明の前記フックの構造模式図である。
【図７】図７は本発明の前記フックの装着方式の構造模式図である。
【発明を実施するための形態】
【００２３】
以下に図面を参照しながら実施例を用いて本発明に対してさらに説明を行う。
【００２４】
図１〜３を参照すれば、本発明の実施例に記載の遠心脱水モップは、回転モップハンドル１０、掃除部３、カバー５、固定スリーブ４を含む；前記回転モップハンドル１０は上管１、下管２、回転駆動機構を含み、回転駆動機構は上管１と下管２を活動可能に接続している。上管１と下管２の間は軸方向に沿って上下に相対的に移動でき、相対的に回転することもでき、下管２は掃除部２に接続されている；本実施例の前記回転モップハンドル１０の回転構造は公開番号ＣＮ２０３４４７２４６Ｕの中国実案文献においても開示されている。
【００２５】
本実施例の前記掃除部３と下管２は接続されている；カバー5は下管2に貫通されるように設けられ、且つカバー5は下管2に沿って上下に移動できる；脱水させる際、掃除部３の一部または全部がカバー５内となるようにする；外管１と下管２は上下に運動して前記回転駆動機構によって掃除部３を回転させ脱水させるように駆動するものである；モップかけ状態の場合、下に向けて下管２を押すことにより掃除部３がカバー５の外になるようにする。本実施例の前記固定スリーブ４と上管１は固定的に接続されている。
【００２６】
本実施例はさらに回転モップハンドル１０をロックするためのロック機構を含み、前記ロック機構は下管２とカバー５を円周方向上で位置制限する第一ストッパー機構、上管１とカバー５を円周方向上で位置制限する第二ストッパー機構、固定スリーブ４とカバー５の間に設けられる係合機構を含み、カバー５と固定スリーブ４が係合機構によって係合される際、前記回転モップハンドル１０がロックされる。下管２とカバー５は円周方向上で位置制限され、上管１とカバー５も円周方向上で位置制限され、固定スリーブ４と上管１が固定接続されるため、カバー５と固定スリーブ４が係合されて固定された後、上管１と下管２も相対的に固定される。
【００２７】
好ましくは、本実施例の前記第一ストッパー機構は歯スリーブ１１、カバー５に設けられた内歯５２を含み、前記歯スリーブ１１と下管２が固定的に装着され、カバー５と固定スリーブ４が係合機構によって係合される際、前記内歯５２と歯スリーブ１１とが噛み合う。好ましくは、前記内歯５２の端部がその本体部に対して次第に細くなり、内歯５２と歯スリーブ１１の噛み合いがよりスムーズとなる。
【００２８】
好ましくは、本実施例に記載の前記第二ストッパー機構は固定スリーブ４に設けられたスロット４１ 、カバー５に設けられた外歯５１を含み、カバー５が固定スリーブ４と係合機構によって係合される際、前記外歯５１とスロット４１とが噛み合う。好ましくは、前記外歯５１の端部がその本体部に対して次第に細くなり、外歯５１と固定スリーブ４の噛み合いがよりスムーズとなる。
【００２９】
好ましくは、本実施例の前記第一ストッパー機構は歯スリーブ１１、カバー５に設けられた内歯５２を含み、前記歯スリーブ１１と下管２が固定的に装着され、前記第二ストッパー機構は固定スリーブ４に設けられたスロット４１ 、カバー５に設けられた外歯５１を含み、カバー５が固定スリーブ４と係合機構によって係合される際、前記外歯５１はスロット４１と噛み合い、前記内歯５２と歯スリーブ１１とが噛み合う。
【００３０】
本実施例の前記「噛み合い」は緊密に噛合することを指すものではなく、両者が凹凸によってマッチすることで位置制限を実現するものであり、実際に応用する際にはコストまたは装着上の問題により隙間が存在することがある。
【００３１】
本実施例の前記係合機構は固定スリーブ４の内壁に設けられた凹部４０、カバー５に設けられたフック部材５３を含む。カバー５と固定スリーブ４がスナップフィット機構によって係合される際、フック部材５３は凹部４０内で膨張し、これによりカバー５と固定スリーブ４の開張（expanding）による係合接続を実現する。
【００３２】
本実施例の前記凹部４０は固定スリーブ４の下方に設けられ、前記フック部材５３は外歯５１の下方に設けられている。カバー５と固定スリーブ４が接近する際、ストッパー機構はまず上管１と下管２のロックを実現し、それからさらにロックを実現する。
【００３３】
図４〜７を参照すれば、操作がより省力となるよう、本発明はさらに掃除部を接続する掃除部接続体９を含み、前記カバー５と掃除部接続体９の間には、カバー５と掃除部連結体９を係合または分離させるためのスナップフィット機構７を備え、前記スナップフィット機構７はスライドスリーブ７１、フック７２及びスライドスリーブ７１を回転モップハンドルの軸方向に沿ってスライドするように駆動するための駆動機構を含み、前記カバー５の側壁にはフック７２を装着するための装着部があり、前記装着部は透孔８１と吊り棒８２を含む；前記フック７２の片端は吊り棒８２に対応するランス７２１が設けられ、掃除部接続体９上にはフック７２をしっかり引っかけられるようにするための階段部または凹部を有し、前記フック７２はスライドカバー７１によりフック７２を掃除部接続体９側に移動させ、これによりフック７２と掃除部接続体９がしっかり引っ掛ける。前記フック７２のもう片端はフック部であり、フック部はフック根元部７２２１、フック先部７２２２を含み、ランス７２１の所在する位置から鉛直線を引いた場合、前記フック根元部７２２１とフック先部７２２２はそれぞれ該鉛直線の両側に位置する；カバー５と掃除部接続体９が係合する際、スライドカバー７１がフック７２に当接して前記鉛直線が傾斜する；カバー５と掃除部接続体９が解除（開放）される際、スライドカバー７１はフック７２に当接せず、前記フック７２は自身の重力の作用により左右に揺れ、前記鉛直線は垂直方向に復位し、フック先部７２２２は掃除部接続体９から離れる。
【００３４】
本実施例の前記スライドカバー７１の両端が開口し、スライドカバー７１は回転モップハンドルに貫通されるように設けられ、フック７２を装着する際、前記ランス７２１と吊り棒８２は上下に部分的に支え合い、部分的に重なり、スライドカバー７１がフック根元部７２２１に当接する場合、前記フック７２は透孔８１を貫通し、前記フック７２は掃除部接続体９を引っ掛ける、スライドカバー７１が上に移動するとき、前記フック７２と掃除部接続体９は分離する。
【００３５】
さらに、本発明はフック７２に対して位置制限を行うためのリブ７２３を備え、前記フック７２は二つのリブ７２３の間に設けられ、二つのリブ７２３はフック７２に対して位置制限作用を有し、フックを引っ掛けている状態とフックを離脱させている状態の間で切り替える際に、フック７２が偏移するまたは位置ずれを起こし、これによりフック７２がスムーズに状態を切り替えることができないことを防止する。
【００３６】
本発明の前記フック先部７２２２には斜辺が設けられている。フック先部７２２２には斜辺が設けられ該構造によりフックと掃除部接続体９の押圧ロックまたは解除（アンロック）をよりスムーズにする。
【００３７】
本発明の駆動機構はボタン７３１、バネ７３２、押しバネ７３３、スライドカバー７１の側壁に設けられた斜面７３４を含み、前記バネ７３２は回転モップハンドルの外に被せるように嵌められ、前記バネ７３２はスライドスリーブ７１に付勢を行い、スライドスリーブ７１が下に移動してフック根元部７２２１に当接しようとするように付勢している；これによりフック７２は透孔８１を貫通し、前記フック７２は掃除部接続体９を引っ掛ける；前記ボタン７３１には受力面があり、該受力面はスライドスリーブ７１に当接して、スライドスリーブ７１がフック根元部７２２１から遠ざかるようにさせるようなものであり、前記押しバネ７３３はボタン７３１に付勢して、受力面はスライドカバー７１の側壁の斜面と徐々に接触し、前記スライドカバー７１が前記フック根元部７２２１から離れ、押しバネ７３３は復位して、これに伴ってボタン７３１も復位する。
【００３８】
本実施例の前記掃除部３は台座、側板、モップを含み、前記台座は側板と回転可能に接続され、モップの両端は側板と固定接続され、前記掃除部３は変形できる。掃除部３はモップかけ状態では展開して大きくなり、掃除の効率を向上させる；掃除部３は脱水状態では小さくなり、自己洗浄がしやすい。
【００３９】
本実施形態は掃除部３のもう一つの具体的な実施形態であり、可撓性板、モップを含み、前記モップと可撓性板が固定接続され、前記掃除部は変形できる。
【００４０】
本実施形態の掃除部３は通常の方式を用いることができ、それはモップ板、モップを含み、モップ自身の性質により変形する。
【００４１】
本発明は実施例におり以上のように開示されているものの、これらは本発明の保護範囲を限定するものではない。当業者が本発明の思想及び範囲内で行った変更または改良は、いずれも本発明の保護範囲に属するものである。
【符号の説明】
【００４２】
１  上管
２  下管
３  掃除部
４  固定スリーブ
５  カバー
７  スナップフィット機構（snap-fit  mechanism）
９  掃除部接続体
１０  モップハンドル
１１  歯スリーブ（歯受け部）（gear sleeve）
４０  凹部
４１  スロット(slot)
５１  外歯
５２  内歯
５３  フック部材（hook parts）
７１  スライドスリーブ (slide sleeve)
７２  フック （hook）
８１  透孔
８２  吊り棒 (hanging rod)
７２１  ランス（lance）
７２３  リブ  (rib)
７３１  ボタン
７３２  バネ (spring)
７３３  押しバネ(compression spring)
７３４  斜面
７２２１  フック根元部
７２２２  フック先部
【図１】
2019080905.tif 000003
【図２】
2019080905.tif 000004
【図３】
2019080905.tif 000005
【図４】
2019080905.tif 000006
【図５】
2019080905.tif 000007
【図６】
2019080905.tif 000008
【図７】
2019080905.tif 000009
【外国語明細書】
2019080905000001.pdf
2019080905000002.pdf
2019080905000003.pdf
2019080905000004.pdf